(57)【特許請求の範囲】
【請求項１】
スピーカの前面に開口部が矩形形状の音波を導く音響管を結合し、この音響管の内部に上記スピーカから放射される音波を開口部に導く音路を形成するとともに、この音路に面して設けられた吸音孔を有する空間部からなる共鳴吸音部を形成してなるスピーカ装置の製造方法において、前記共鳴吸音部とこれと外部を遮蔽する前記共鳴吸音部のカバー間の結合工程のための接着剤の塗布範囲を調整して両者間に音圧周波数特性のピークディップを抑制する隙間を設けるスピーカ装置の製造方法。
【発明の詳細な説明】
【０００１】
【発明の属する技術分野】
本発明はテレビジョン受像機などの映像用機器や自動車、情報、通信などの各種音響機器に利用されるスピーカの前面に音波を導く音響管を配置したスピーカ装置の製造方法に関するものである。
【０００２】
【従来の技術】
スピーカの前面にホーンや音響管を結合し、スピーカから発生した音波を上記音響管の開口部まで導く方法は、ホーンや音響管を用いない場合に比べて出力音圧が大きく得られることや、特定の方向に音が伝えられるなどの利点があり、従来から多く用いられている。
【０００３】
図７は上記スピーカ装置を内蔵したテレビジョン受像機の構造概念図である。同図において、１は音響管、２はスピーカ、３はテレビキャビネット、４は陰極線管、５はバックキャビネット、ａは前面放出音波、ｂは後面放出音波を表したものである。
【０００４】
以上のように構成されたスピーカ装置を内蔵したテレビジョン受像機について以下その動作について説明する。
【０００５】
まず、スピーカ２から放出された音波がその前面に配置された開口部が細長くほぼ矩形形状に構成された音響管１を通り、更にそのスピーカ装置の構造がテレビジョン受像機内部の陰極線管４とテレビキャビネット３に沿った形状を取ることにより狭い開口から音波を前面に導き出し、テレビキャビネット３の開口部より前面放出音波ａとして放出され、同時にスピーカ２の後面にも後面放出音波ｂとしてバックキャビネット５の内部に音波が放出されている。以上の構成によりテレビジョン受像機の小型スリム化を可能とするものであった。
【０００６】
次にスピーカ２と音響管１からなる上記テレビジョン受像機に用いられるスピーカ装置の詳細について図８、図９により説明する。
【０００７】
図８は従来のスピーカ装置の斜視図であり、図９は同側断面図である。同図において６はスピーカ２から発生した音波が通る音路であり、７は音路６に面した吸音孔、１０は吸音孔７を一端とする管８と、この管８の他端が連通する空間部９によって構成される共鳴吸音部であり、１１は音波を放出する開口部である。
【０００８】
以上のように構成されたスピーカ装置について以下にその動作を説明する。まず、スピーカ２に入力信号が印加されると、音波が音響管１の内部の音路６を通って音響管１の開口部１１から放射される。
【０００９】
しかし、音響管１の開口部１１で音響インピーダンスが大きく変化しているため、音波の一部は反射して音路６に戻ってきて定在波を作り、音響管１の長さにより発生する定在波により、中域周波数においてピークを持つ再生音圧周波数特性になる。
【００１０】
この定在波による中域周波数におけるピークを取り除くため、上記従来の構成では音路６に面した吸音孔７を一端とする管８と、この管８の他端が連通する空間部９とによって構成される共鳴吸音部１０によってピークになる部分を吸音する構成となっていた。
【００１１】
なお、この共鳴吸音部１０は管８以外は密閉されたものである。
【００１２】
【発明が解決しようとする課題】
しかしながら上記従来のスピーカ装置では、中域周波数におけるピークを取り除くための共鳴吸音部１０によりピークになる部分を吸音していたが、吸音した部分が大きなディップとなり、ピークディップの大きな乱れた再生音圧特性になってしまい、音声の明瞭度が低下するという課題を有していた。
【００１３】
【課題を解決するための手段】
この課題を解決するために本発明のスピーカ装置の製造方法は、スピーカの前面に開口部が矩形形状の音波を導く音響管を結合し、この音響管の内部に上記スピーカから放射される音波を開口部に導く音路を形成するとともに、この音路に面して設けられた吸音孔を有する空間部からなる共鳴吸音部を形成する過程において、前記共鳴吸音部とこれと外部を遮蔽する前記共鳴吸音部のカバー間の結合固定のための接着剤の塗布範囲を調整して両者間に音圧周波数特性のピークディップを抑制する隙間を設けるものである。
【００１４】
この構成により、機器への組み込みを考慮し開口部を細長い矩形形状としたホーンや音響管を有するスピーカ装置においても、共鳴吸音部とこの共鳴吸音部のカバー間の結合固定のための塗布範囲を調整して両者間に吸音する帯域幅およびディップのＱをコントロールしてピークディップを抑制する隙間を形成するものであり、音声の明瞭度の向上を図り、再生音圧特性が平坦な特性となる優れた音響特性のスピーカ装置の製造方法を提供するものである。
【００１５】
【発明の実施の形態】
本発明の請求項１記載のスピーカ装置の製造方法は、スピーカの前面に開口部が矩形形状の音波を導く音響管を結合し、この音響管の内部に上記スピーカから放射される音波を開口部に導く音路を形成するとともに、この音路に面して設けられた吸音孔を有する空間部からなる共鳴吸音部を形成してなるスピーカ装置の製造方法において、前記共鳴吸音部とこれと外部を遮蔽する前記共鳴吸音部のカバー間の結合固定のための接着剤の塗布範囲を調整して両者間に音圧周波数特性のピークディップを抑制する隙間を設けるものであり、この隙間により、吸音する帯域幅およびディップのＱをコントロールしてピークディップを抑制し、音声の明瞭度の向上を図り、再生音圧特性が平坦な特性となる優れた音響特性のスピーカ装置を提供できるものである。
【００１６】
なお、前記隙間はスピーカ装置の組立時に接着剤塗布により形成されるので音響管の多少の形状変更によっても適宜それに合せてピークディップを吸収するように塗布範囲を変更できる自由度の高いものである。
【００１７】
以下、本発明の一実施の形態について、図１〜図６により説明する。なお、説明にあたっては従来技術と同一部分は同一番号を付与し、説明を省略して説明する。
【００１８】
（実施の形態１）
図１は本発明の一実施の形態のスピーカ装置の製造方法によるスピーカ装置の側断面図であり、図２は同斜視図であり、図３は同再生音圧周波数特性図である。
【００１９】
同図において１はスピーカ２の前面に結合された音響管であり、この音響管１の内部には上記スピーカ２から放射される音波を開口部１１まで導くための音路６が形成されるとともに、この音路６に面した吸音孔７により連通した空間部９とによって共鳴吸音部１０ａが形成される。
【００２０】
この共鳴吸音部１０ａは、共鳴吸音部１０ａのカバー１０ｂを結合することにより構成されている。前記共鳴吸音部１０ａは従来、共鳴吸音部１０のカバーをホットメルトなどの接着剤で密閉固定していたが、本実施形態では、前記共鳴吸音部とこれとカバー間の結合固定のための接着剤の塗布範囲を調整して両者間に音圧周波数特性のピークディップを抑制する隙間を接着剤の未塗布部１０ｃとして設けたものである。
【００２１】
以上のようの構成された本発明のスピーカ装置の製造方法により形成されたスピーカ装置の動作を説明する。まず、スピーカ２に入力信号が印加されると、音波が音響管１の内部の音路６を通って音響管１の開口部１１から放射される。その際、音響管１の内部に発生する定在波は吸音孔７から空間部９に取り入れられるが、空間部９の周辺部に未塗布部１０ｃにより設けられた隙間から空気が逃げることにより空間部９内の空気の圧力を調整し、吸音する帯域幅およびディップのＱをコントロールすることができ、ピークディップを図３の符号５１の再生音圧周波数特性に示すごとく抑制するものである。
【００２２】
なお、符号５２は従来のスピーカ装置の再生音圧周波数特性である。同図からわかるように、本実施の形態のスピーカ装置の製造方法によるスピーカ装置は中域周波数におけるピークディップを抑制することができ、音声の明瞭度の向上を図り、再生音圧周波数特性が平坦な特性になる音響特性の優れたスピーカ装置を提供することが可能となるものである。
【００２３】
なお、前記未塗布部１０ｃによる共鳴吸音部とカバー間の隙間はスピーカ装置の組立時に形成されるので音響管１の多少の形状変更によっても適宜それに合せてピークディップを吸収するように塗布範囲を変更できる自由度の高いものである。
【００２４】
また、本発明の製造方法により構成されたスピーカ装置に、後面キャビネットおよびバスレフ、ポート等を設けた場合においても同様の効果が得られることはいうまでもない。
【００２５】
また、共鳴吸音部１０ａは管８の長さが音路６と空間部９を隔てる壁１枚の厚さのもの１つとして説明したが、管８の長さや空間部９の異なる２つ以上を設ければ、より平坦な優れた再生音圧周波数特性が得られるものである。
【００２６】
（実施の形態２）
図４は本発明の製造方法による他の実施の形態のスピーカ装置の側断面図であり、図５は同斜視図であり、図６は同再生音圧周波数特性図である。
【００２７】
本実施の形態のスピーカ装置が図８、図９の従来技術と異なるのは、スピーカ２の前面に開口部が細長くほぼ矩形形状に近い形状で構成された音波を導く音響管１を結合した構成において、この音響管１の内部に共鳴吸音部１０ａの開口端側に共鳴吸音部１０ａに連続して開口端まで延長した反射板１２とこれに対向する音響管の短辺と平行の反射板１３を設けたことであり、共鳴吸音部とカバー間の結合固定のための接着剤の塗布範囲を調整して隙間をスピーカ装置の組み立て時に設けることは実施の形態１と同様である。
【００２８】
以上のように構成された本実施の形態２の製造方法によるスピーカ装置について、動作を説明する。
【００２９】
まず、スピーカ２に電気信号が印加されると音波が発生し、その音波がスピーカ２の前面に結合された音響管１によって音路６を通り音響管開口部へと導かれ、前面放出音波ａとして放出されるものである。
【００３０】
従来、共鳴吸音部の配置の関係から内部の管の構造が急激に変化する場所があったため、管内部のインピーダンスの乱れからピークディップの大きい再生音圧特性であったが、管の内部に急激な形状変化を抑える反射板を設けることによりインピーダンスの乱れを調整し、音声の明瞭度の優れた音響特性のスピーカ装置を実現するものである。
【００３１】
図６は本実施の形態のスピーカ装置の再生音圧周波数特性を示すが、同図からわかるように、本実施の形態の構成によれば中高域周波数におけるピークディップを符号５４の如く抑制することができ、音声の明瞭度の向上を図り、再生音圧周波数特性が平坦な特性になる音響特性の優れたスピーカ装置を提供することが可能となるものである（なお、符号５３は従来のスピーカ装置の再生音圧周波数特性を示している。）。
【００３２】
以上のような本発明の形態の製造方法によるスピーカ装置をテレビジョン受像機に内蔵することにより、テレビジョン受像機の小型スリム化を実現できるだけでなく、高性能で高音質のテレビジョン受像機を提供することができるものである。
【００３３】
【発明の効果】
以上のように本発明のスピーカ装置の製造方法によるスピーカ装置は人の音声を再生する上で重要な中高域周波数におけるピークディップが少ない平坦な再生音圧周波数特性とすることができ、従来品では実現できなかった音声の明瞭度の向上を図った優れた音響特性を実現できるものである。
【図面の簡単な説明】
【図１】  本発明のスピーカ装置の製造方法の一実施の形態のスピーカ装置の側断面図
【図２】  同斜視図
【図３】  同再生音圧周波数特性図
【図４】  同他の実施の形態のスピーカ装置の側断面図
【図５】  同斜視図
【図６】  同再生音圧周波数特性図
【図７】  従来のスピーカ装置を用いたテレビジョン受像機の構造概念図
【図８】  同スピーカ装置の斜視図
【図９】  同側断面図
【符号の説明】
１  音響管
２  スピーカ
３  テレビキャビネット
４  陰極線管
５  バックキャビネット
６  音路
７  吸音孔
８  管
９  空間部
１０ａ  共鳴吸音部
１０ｂ  共鳴吸音部カバー
１０ｃ  （接着剤の）未塗布部
１１  開口部
１２  反射板
１３  反射板
【図１】
0004043539.tif 000002
【図２】
0004043539.tif 000003
【図３】
0004043539.tif 000004
【図４】
0004043539.tif 000005
【図５】
0004043539.tif 000006
【図６】
0004043539.tif 000007
【図７】
0004043539.tif 000008
【図８】
0004043539.tif 000009
【図９】
0004043539.tif 000010